(57)【特許請求の範囲】
【請求項１】
水を用いて燃料を改質する燃料改質器と、
前記燃料改質器によって改質された水素を含む改質ガスと酸素を含むガスとを用いて電力を発生する燃料電池と、
前記燃料電池から排出される排出ガスから水を回収する水回収器と、
燃料を貯溜する燃料タンクと、
前記水回収器によって回収された水と前記燃料タンク内の燃料との混合液を貯溜する混合液タンクと、
前記混合液タンク内の混合液を蒸発させる蒸発器とを備えた移動体用燃料電池システムにおいて、
前記燃料改質器で必要とされる水と燃料とから成る混合ガスの要求量が増加する際に、前記蒸発器に供給される水と燃料との液組成を、前記燃料改質器で必要とされる混合ガスの組成よりも一時的に水過剰の組成に調整することを特徴とする移動体用燃料電池システム。
【請求項２】
前記混合液タンク内の混合液の組成を前記燃料改質器で必要とされる混合ガスの組成よりも水過剰の組成にし、かつ、前記混合液タンク内の混合液と前記燃料タンク内の燃料とを前記蒸発器に供給するようにしておき、前記燃料改質器で必要とされる水と燃料とから成る混合ガスの要求量が増加する際に、前記燃料タンクから前記蒸発部に供給する燃料に流量を一時的に制限することによって、前記蒸発器に供給される水と燃料との液組成を、前記燃料改質器で必要とされる混合ガスの組成よりも一時的に水過剰の組成に調整することを特徴とする請求項１記載の移動体用燃料電池システム。
【請求項３】
前記混合液タンク内の混合液の組成を前記燃料改質器で必要とされる混合ガスの組成と同一にし、かつ、前記混合液タンク内の混合液を前記蒸発器に供給するようにしておき、前記燃料改質器で必要とされる水と燃料とから成る混合ガスの要求量が増加する際に、前記水回収部で回収された回収水を一時的に前記蒸発部に供給することによって、前記蒸発器に供給される水と燃料との液組成を、前記燃料改質器で必要とされる混合ガスの組成よりも一時的に水過剰の組成に調整することを特徴とする請求項１記載の移動体用燃料電池システム。
【発明の詳細な説明】
【０００１】
【発明の属する技術分野】
本発明は、移動体用燃料電池システムに関し、特に、燃料改質器で必要とされる組成の混合蒸気の生成方法に関する。
【０００２】
【従来の技術】
従来の移動体用燃料電池システムとしては、例えば、特開平８−９１８０４号公報に記載されたものが報告されている。
【０００３】
これは、燃料改質に必要な水を水タンクに貯溜する構成とした場合における問題点、すなわち、寒冷地、具体的には氷点下の環境下に置かれた移動体用燃料電池システムを起動する際に、水、水タンク、水配管、及び水系バルブ類といった水系システムの解凍と暖機に膨大な熱エネルギーを必要としていた。
【０００４】
このため、燃料電池システムの起動と停止を含めた効率が低下するのみならず、起動時間も長くなり、実用性が損なわれるおそれがあるといった問題を解決する必要があった。
【０００５】
このため、水タンクに代わって、水とメタノールとの混合液を貯溜する混合液タンクを設け、この混合液タンク内の混合液の組成（メタノールと水との混合比率）が所定の値、具体的には燃料改質器で必要とされる混合ガスの組成になるように制御することで、寒冷地での使用に耐えることができるようにした。
【０００６】
【発明が解決しようとする課題】
しかしながら、このような従来の移動体用燃料電池システムにあっては、燃料改質器で必要とされる混合ガスの組成と同一組成の混合液を蒸発器に供給した場合、過渡的に水が少なくなり、燃料の多い混合ガスが発生してしまうといった問題点があった。
【０００７】
図７（ａ）は、燃料改質器で要する必要蒸気量、同図（ｂ）は、蒸発器に供給した混合液の注入量、同図（ｃ）は、蒸発器で生成された蒸気発生量をそれぞれ示している。特に、図７（ｃ）から分かるように、蒸発器において、燃料改質器で必要とされる蒸気組成の混合蒸気が得られるまでに時間τを要してしていた。そして、混合液の供給初期で発生する混合蒸気の組成は、燃料（メタノール蒸気）が多く水（水蒸気）が少ないものとなっている。
【０００８】
このため、このように水が少なく燃料の多い混合ガスが燃料改質器に供給された場合、燃料改質器において必要量の水素を含む改質ガスを生成することができないため、燃料電池は充分な電力を発生することができず、移動体の運転者のアクセル操作に追従できないといった問題があった。
【０００９】
また、煤化反応が起こりやすくなるため、燃料改質器内の触媒の活性を低下させるとともに、場合によっては流路を閉塞するといった問題があった。
【００１０】
さらに、場合によっては一部の燃料が改質されずに燃料改質器から排出され、燃料電池の特性を劣化させるといった問題もあった。
【００１１】
本発明は、上記に鑑みなされたもので、その目的としては、燃料改質器で必要とされる組成の混合蒸気を常に生成することができ、発電効率の向上とシステムの長寿命化を図ることができる移動体用燃料電池システムを提供することにある。
【００１２】
【課題を解決するための手段】
請求項１記載の発明は、上記課題を解決するため、水を用いて燃料を改質する燃料改質器と、前記燃料改質器によって改質された水素を含む改質ガスと酸素を含むガスとを用いて電力を発生する燃料電池と、前記燃料電池から排出される排出ガスから水を回収する水回収器と、燃料を貯溜する燃料タンクと、前記水回収器によって回収された水と前記燃料タンク内の燃料との混合液を貯溜する混合液タンクと、前記混合液タンク内の混合液を蒸発させる蒸発器とを備えた移動体用燃料電池システムにおいて、前記燃料改質器で必要とされる水と燃料とから成る混合ガスの要求量が増加する際に、前記蒸発器に供給される水と燃料との液組成を、前記燃料改質器で必要とされる混合ガスの組成よりも一時的に水過剰の組成に調整することを要旨とする。
【００１３】
請求項２記載の発明は、上記課題を解決するため、前記混合液タンク内の混合液の組成を前記燃料改質器で必要とされる混合ガスの組成よりも水過剰の組成にし、かつ、前記混合液タンク内の混合液と前記燃料タンク内の燃料とを前記蒸発器に供給するようにしておき、前記燃料改質器で必要とされる水と燃料とから成る混合ガスの要求量が増加する際に、前記燃料タンクから前記蒸発部に供給する燃料に流量を一時的に制限することによって、前記蒸発器に供給される水と燃料との液組成を、前記燃料改質器で必要とされる混合ガスの組成よりも一時的に水過剰の組成に調整することを要旨とする。
【００１４】
請求項３記載の発明は、上記課題を解決するため、前記混合液タンク内の混合液の組成を前記燃料改質器で必要とされる混合ガスの組成と同一にし、かつ、前記混合液タンク内の混合液を前記蒸発器に供給するようにしておき、前記燃料改質器で必要とされる水と燃料とから成る混合ガスの要求量が増加する際に、前記水回収部で回収された回収水を一時的に前記蒸発部に供給することによって、前記蒸発器に供給される水と燃料との液組成を、前記燃料改質器で必要とされる混合ガスの組成よりも一時的に水過剰の組成に調整することを要旨とする。
【００１５】
【発明の効果】
請求項１記載の本発明によれば、燃料改質器で必要とされる水と燃料とから成る混合ガスの要求量が増加する際に、蒸発器に供給される水と燃料との液組成を、燃料改質器で必要とされる混合ガスの組成よりも一時的に水過剰の組成に調整することで、燃料改質器で必要とされる組成の混合蒸気を常に生成することができ、発電効率の向上とシステムの長寿命化を図ることができる。
【００１６】
請求項２記載の本発明によれば、燃料改質器で必要とされる水と燃料とから成る混合ガスの要求量が増加する際に、蒸発器に供給される水と燃料との液組成を、燃料改質器で必要とされる混合ガスの組成よりも一時的に水過剰の組成に調整する手段として、混合液タンク内の混合液の組成を燃料改質器で必要とされる混合ガスの組成よりも水過剰の組成にし、かつ、混合液タンク内の混合液と燃料タンク内の燃料とを蒸発器に供給するようにしておき、燃料改質器で必要とされる水と燃料とから成る混合ガスの要求量が増加する際に、燃料タンクから蒸発部に供給する燃料に流量を一時的に制限することによって、蒸発器に供給される水と燃料との液組成を、燃料改質器で必要とされる混合ガスの組成よりも一時的に水過剰の組成に調整することで、比較的簡単な構成で、燃料改質器で必要とされる組成の混合蒸気を常に生成することができ、発電効率の向上とシステムの長寿命化を図ることができる。
【００１７】
請求項３記載の本発明によれば、燃料改質器で必要とされる水と燃料とから成る混合ガスの要求量が増加する際に、蒸発器に供給される水と燃料との液組成を、燃料改質器で必要とされる混合ガスの組成よりも一時的に水過剰の組成に調整する手段として、混合液タンク内の混合液の組成を燃料改質器で必要とされる混合ガスの組成と同一にし、かつ、混合液タンク内の混合液を蒸発器に供給するようにしておき、燃料改質器で必要とされる水と燃料とから成る混合ガスの要求量が増加する際に、水回収部で回収された回収水を一時的に蒸発部に供給することによって、蒸発器に供給される水と燃料との液組成を、燃料改質器で必要とされる混合ガスの組成よりも一時的に水過剰の組成に調整することで、燃料改質器で必要とされる組成の混合蒸気を常に生成することができ、発電効率の向上とシステムの長寿命化を図ることができるとともに、耐寒性を向上することができる。
【００１８】
【発明の実施の形態】
以下、本発明の実施の形態を図面を参照して説明する。
【００１９】
（第１の実施の形態）
図１は、本発明の第１の実施の形態に係る移動体用燃料電池システムの構成を示す図である。ここでは、移動体用燃料電池システムとして、燃料電池自動車に搭載される燃料電池システムを例にとる。特に、図１のシステムは、燃料改質器を有する燃料電池システムとバッテリとのハイブリッド燃料電池自動車の場合である。
【００２０】
図１において、燃料改質器１は、水を用いて燃料であるメタノールを水蒸気改質し、水素を含んだ改質ガスを生成する。このとき、場合によっては、コンプレッサ１５から空気が送り込まれ、メタノールの部分酸化による改質も行われる。水蒸気改質は吸熱反応であり、部分酸化は発熱反応である。
【００２１】
燃料改質器１で生成された改質ガスとコンプレッサ１５からの空気とは、燃料電池３のアノード、カソードそれぞれの電極に送られ、ここで改質ガス中の水素と空気中の酸素とを用いて発電が行われる。このとき、改質ガス中の水素と空気中の酸素は、燃料電池３内ですべてが消費されるわけではなく、一部を残して排出され、排出改質ガス及び排出空気としてコンデンサ５を介して燃焼器１３に送られ、場合によっては、コンプレッサ１５からの空気及びメタノールタンク７内のメタノールとともに燃焼される。燃焼器１３での燃焼反応の熱は、メタノールや水を蒸発させる蒸発器１１の熱源として、また、燃料改質器１での上記水蒸気改質の吸熱反応のための熱源として再利用される。
【００２２】
コンデンサ５は、水回収器として機能するものであって、燃料電池の排気である排出改質ガス及び排出空気を冷却水で冷却し、排出改質ガス及び排出空気に含まれる水蒸気を凝縮し回収する。コンデンサ５で回収された回収水は、混合液タンク９に送られる。
【００２３】
混合液タンク９は、燃料であるメタノールと水との混合液を貯溜するタンクである。メタノールは、メタノールの液体を貯溜するメタノールタンク（燃料タンク）７から供給され、水は、上記のようにコンデンサ５から供給される。混合液タンク９内の混合液は、蒸発器１１に供給され、蒸発されてメタノール蒸気と水蒸気との混合ガスとなって、燃料改質器１に送られる。また、メタノールタンク７内のメタノールも直接蒸発器１１に供給される。
【００２４】
ここで、メタノールタンク７から蒸発器１１に供給されるメタノール供給量（注入量）は、流量計１７で計測し、混合液タンク９から蒸発器１１に供給される混合液供給量（注入量）は、流量計１９で計測している。流量計１７，１９は、当該燃料電池システムを制御するためのコントロールユニット２１にそれぞれ接続されており、それぞれの測定信号をコントロールユニット２１へ出力する。
【００２５】
コントロールユニット２１は、内部に制御プログラム及び要求注入量特性関数を記憶した制御ＲＯＭと、制御時のワークエリアとなるＲＡＭを有しており、流量計１７，１９からの測定信号（フィードバック信号）を入力し、蒸発器１１への液注入量（混合液タンク９からの混合液注入量とメタノールタンク７からのメタノール注入量）が所定の要求注入量関数に一致するように、制御信号を流量制御弁２３，２５に出力する（フィードバック制御）。
【００２６】
流量制御弁２３によって、メタノールタンク７から蒸発器１１に供給されるメタノール供給量（注入量）が調整され、流量制御弁２５によって、混合液タンク９から蒸発器１１に供給される混合液供給量（注入量）が調整される。なお、流量制御弁２３，２５と流量計１７，１９とは、一体構造のもの（流量計付き流量制御弁）であっても良い。
【００２７】
バッテリ２７は、燃料電池３によって発電された余剰電力や燃料電池自動車が減速する際のモータ２９による回生電力を蓄積するとともに、モータ２９で消費される走行電力や、コンプレッサ１５、燃料改質器１、燃焼器１３で消費される補機電力などを賄うのに十分な発電が燃料電池３によって行われなかった場合には放電してモータ２９や補機（コンプレッサ１５、燃料改質器１、燃焼器１３など）に給電し、不足電力を補う。これらの電力の配分は、電力調整器３１を介して行われる。制御装置３３は、アクセルペダル３５の踏み込み量（アクセル開度）をポジションセンサ３７によって検出した信号に基づいて、電力調整器３１による電力配分を制御する。
【００２８】
次に、図２に示す要求注入量特性関数を参照して、燃料改質器１が必要とする組成の混合蒸気を常に生成するための蒸発器１１への液注入量制御動作を説明する。
【００２９】
第１の実施の形態では、上記のように、混合液タンク９内に貯溜されている水とメタノールとの混合液とメタノールタンク７内に貯溜されているメタノールとを、蒸発器１１に供給する。混合液タンク９内の混合液の組成（メタノールと水との混合比率）は、燃料改質器１で必要とされる混合ガスの組成よりも水過剰である適当な一定の組成（混合比率）に調整されている。
【００３０】
なお、混合液タンク９内の混合液の組成の調整は、例えば、メタノールと水との混合比率を計測する手段（比重センサと温度センサなど）を設けて、混合液の組成を正確に計測し、この計測値が所定の値となるように、混合液タンク９に流入するコンデンサ５からの回収水、及び／又は、メタノールタンク７からのメタノールの流入量を調整することによって行われる。
【００３１】
ここでは、図７（ａ）に示す燃料改質器１の必要蒸気量に対する蒸発器１１への液の注入量を、図２に示す特性関数に従って制御する。
【００３２】
図２に示す区間ｂでは、メタノールタンク７から蒸発器１１に注入されるメタノールと混合液タンク９から蒸発器１１に注入される混合液に含まれるメタノールとを合計したメタノールの注入量と、混合液タンク９から蒸発器１１に注入される混合液に含まれる水の注入量との組成比（混合比率）が、燃料改質器１で必要とされる混合ガスの組成比と同じになっている。
【００３３】
また、燃料改質器１での必要蒸気量の増加に伴い、液の注入量を増加させた際の初期の段階、すなわち図２に示す区間ａでは、メタノールタンク７から蒸発器１１へのメタノールの供給量を一時的に抑えることによって、メタノールタンク７から蒸発器１１に注入されるメタノールと混合液タンク９から蒸発器１１に注入される混合液に含まれるメタノールとを合計したメタノールの注入量と、混合液タンク９から蒸発器１１に注入される混合液に含まれる水の注入量との組成比を、燃料改質器１で必要とされる混合ガスの組成比よりも一時的に水過剰の組成にしている。
【００３４】
なお、ここでの制御は、前述のように、通常のフィードバック制御であって、流量計１７，１９からの測定信号（フィードバック信号）をコントロールユニット２１に入力し、蒸発器１１への液注入量（混合液タンク９からの混合液注入量とメタノールタンク７からのメタノール注入量）が図２に示す要求注入量関数と一致するように、コントロールユニット２１から制御信号を流量制御弁２３，２５に出力することによって行われる。
【００３５】
次に、作用を説明する。
【００３６】
図３は、水とメタノールとの大量の混合液を蓄液式の蒸発器１１で蒸発させた場合の蒸気組成（メタノールのｍｏｌ％）と混合液の組成（メタノールのｍｏｌ％）との関係を示す図である。
【００３７】
例えば、蒸気組成としてメタノールの組成が５０ｍｏ１％の蒸気を発生させたい場合、図３から、混合液のメタノールの組成を約１３ｍｏｌ％、つまり水過剰の組成にする必要がある。
【００３８】
したがって、図７（ｃ）において、蒸発器１１に注入した混合液と同一の組成の混合ガスが発生するまでの時間τは、蒸発器１１の気化伝熱面に形成される液膜について、先にメタノールが蒸発して水の過剰な液膜が形成されるまでの時間と考えることができる。
【００３９】
したがって、図２に示す要求注入量特性関数によれば、初期の区間ａにおいて水過剰の組成で蒸発器１１への液の供給が行われるため、上記した水の過剰な液膜が速やかに形成され、その後はメタノールと水の蒸発分を補う分だけ液体が供給されることから、燃料改質器１で必要とされる組成の混合ガスを速やかに蒸発させることが可能となる。
【００４０】
この結果、第１の実施の形態に関する効果としては、燃料改質器１での必要蒸気量が増加する際に、メタノールタンク７から蒸発器１１に供給するメタノールの流量を一時的に制限することによって（図２参照）、蒸発器１１に供給するメタノールと水との組成比を、燃料改質器１で必要とされる混合ガスの組成比よりも一時的に水過剰の組成にすることで、燃料改質器１が必要とする組成の混合蒸気を常に生成することができ、燃料電池システムの発電効率を向上することができる。同時に、燃料電池３が充分な電力を発生することができるので、移動体の運転者のアクセル操作に追従することができる。
【００４１】
また、メタノール（燃料）の組成が多い混合ガスの発生が防止されるので、煤化反応が起こりにくくなり、燃料改質器１内の触媒の活性の低下と流路の閉塞を防止することができ、燃料改質器１の寿命を向上することができる。同時に、一部の燃料が改質されずに燃料改質器１から排出されることがなくなるため、燃料電池３の特性劣化を防止することができ、燃料電池３の寿命を向上することができる。すなわち、燃料電池システムの長寿命化を図ることができる。
【００４２】
（第２の実施の形態）
図４は、本発明の第２の実施の形態に係る移動体用燃料電池システムの構成を示す図である。なお、第２の実施の形態は、図１に示す第１の実施の形態に対応する移動体用燃料電池システムと同様の基本的構成を有しており、同一の構成要素には同一の符号を付し、その説明を省略することとする。
【００４３】
第２の実施の形態の特徴は、図４に示すように、混合液タンク９内に貯溜されている水とメタノールとの混合液とコンデンサ５で回収された回収水とを、蒸発器１１に供給するようにしたことである。
【００４４】
コンデンサ５から蒸発器１１に供給される回収水供給量（注入量）は、流量計３９で計測され、また、流量制御制御弁４１によって流量調整される。この流量計３９は、当該燃料電池システムを制御するためのコントロールユニット２１に接続されており、コントロールユニット２１へその測定信号を送り込む。
【００４５】
また、コントロールユニット２１は、内部の制御ＲＯＭに制御プログラム及び要求注入量特性関数を記憶しており、流量計１９，３９からの測定信号（フィードバック信号）を入力し、蒸発器１１への液注入量（混合液タンク９からの混合液注入量とコンデンサ５からの水注入量）が所定の要求注入量関数に一致するように、制御信号を流量制御弁２５，４１に出力する（フィードバック制御）。
【００４６】
ここでは、混合液タンク９内の混合液の組成（メタノールと水との混合比率）を、燃料改質器１で必要とされる混合ガスの組成と同一にしている。
【００４７】
そして、図７（ａ）に示す燃料改質器１の必要蒸気量に対する蒸発器１１への液の注入量を、図５に示す特性関数に従って制御する。図５に示す区間ｄでは、コンデンサ５から蒸発器１１に回収水を供給せず、混合液タンク９内の混合液のみを蒸発器１１に供給するため、蒸発器１１に供給されるメタノールと水との組成比（混合比率）は、燃料改質器１で必要とされる混合ガスの組成比と同じになっている。
【００４８】
また、燃料改質器１での必要蒸気量の増加に伴い、液の注入量を増加させた際の初期の段階、すなわち、図５に示す区間ｃでは、コンデンサ５から蒸発器１１に回収水を一時的に供給することによって、混合液タンク９から蒸発器１１に注入される混合液に含まれるメタノールの注入量と、混合液タンク９から蒸発器１１に注入される混合液に含まれる水とコンデンサ５から蒸発器１１に注入される回収水とを合計した水の注入量との組成比を、燃料改質器１で必要とされる混合ガスの組成比よりも一時的に水過剰の組成にしている。
【００４９】
なお、ここでの制御もまた、前述のように、通常のフィードバック制御であって、流量計１９，３９からの測定信号（フィードバック信号）をコントロールユニット２１に入力し、蒸発器１１への液注入量（混合液タンク９からの混合液注入量とコンデンサ５からの回収水注入量）が図５に示す要求注入量関数と一致するように、コントロールユニット２１から制御信号を流量制御弁２５，４１に出力することによって行われる。
【００５０】
この結果、第２の実施の形態においても、第１の実施の形態で説明したのと同じ理由によって、燃料改質器１で必要とされる組成の混合ガスを速やかに蒸発させることが可能となり、上述した第１の実施の形態に関する効果を得ることができる。
【００５１】
さらに、第２の実施の形態では、第１の実施の形態に比べて、混合液タンク９内の混合液の組成がメタノール（燃料）の濃い状態であるため、耐寒性が向上している。すなわち、図６は、混合液の組成（メタノールのｍｏｌ％）と凝固点との関係を示しているが、同図から、例えば、燃料改質器１の必要とするメタノールと水との混合ガスの組成が５０ｍｏ１％であるとした場合、第１の実施の形態では、混合液タンク１内の混合液の組成は燃料改質器１の必要とする混合ガスの組成よりも水が過剰の約１３ｍｏｌ％であり（図３参照）、凝固点は約 -１５℃であるのに対し、第２の実施の形態では、燃料改質器１の必要とする混合ガスの組成と同じ５０ｍｏｌ％であり、凝固点は約 -９０℃である。
【００５２】
なお、本発明は、以上の実施の形態に限定されるわけではなく、特許請求の範囲に記載された発明の範囲を逸脱しない限り、色々な変更が可能である。以下、その変更例を説明する。
【００５３】
第１、第２の実施の形態では、燃料改質器１で必要とされる蒸気量が０からステップ状に増加する場合を例にとって説明してきたが（図７（ａ）参照）、これに限定されるわけではない。例えば、ある量からある量にステップ状に増加する場合、あるいはステップ状ではなくランプ状に増加する場合であっても、本発明は適用可能である。また、燃料改質器１が必要とする蒸気量を燃料改質器１の負荷と読み替えても良い。
【００５４】
また、第１の実施の形態では、燃料改質器１で必要とされる蒸気量が増加する際の初期の区間ａにおいて、メタノールの注入量をランプ状に増加させる関数を例にとって説明してきたが（図２参照）、この関数に限定されるわけではない。燃料改質器１で必要とされる蒸気量が増加する際の初期の区間ａにおいて水が過剰となるようにメタノール（燃料）と水とが供給されればよく、例えば、メタノールの注入を時間的に遅らせても良いし、また、時間的に遅らせてからランプ状に増加させても良い。この点は、第２の実施の形態においても同様であって、この関数に限定されるわけではない。
【００５５】
また、第１、第２の実施の形態では、燃料改質器１で必要とされる混合蒸気の組成が常に一定である場合を例にとって説明してきたが（図７（ａ）参照）、これに限定されるわけではない。燃料改質器１の負荷が増加する際に、一時的に水過剰の混合ガス組成が必要となる場合や、燃料改質器１の負荷又は温度によって混合ガスの組成を補正する場合にも、本発明は適用可能である。
【００５６】
また、第１、第２の実施の形態において、蒸発器１１に供給される混合液とメタノール（燃料）又は回収水とは、蒸発器１１にこれらの液体を注入するインジェクタの直前で混合されても良いし、又は、それぞれがインジェクタで注入され霧化された状態で混合されても良いし、又は、場合によっては沸騰による混合であっても良い。
【００５７】
また、特に、第２の実施の形態においては、コンデンサ５で回収された回収水を蒸発器１１に供給する水供給ラインがあるため、氷点下の環境での凍結対策として、システム停止時に水供給ライン内の水を抜いたり、又は、メタノール（燃料）を水供給ライン内に注入するといった機構を設けても良い。
【図面の簡単な説明】
【図１】本発明の第１の実施の形態に係る移動体用燃料電池システムの構成を示す図である。
【図２】第１の実施の形態の要求注入量特性関数を示す図である。
【図３】水とメタノールとの混合液を蒸発器で蒸発させた場合の蒸気組成と混合液組成との関係を示す図である。
【図４】本発明の第２の実施の形態に係る移動体用燃料電池システムの構成を示す図である。
【図５】第２の実施の形態の要求注入量特性関数を示す図である。
【図６】混合液の組成と凝固点との関係を示す図である。
【図７】従来技術の問題点を説明するための図である。
【符号の説明】
１  燃料改質器
３  燃料電池
５  コンデンサ（水回収器）
７  メタノールタンク（燃料タンク）
９  混合液タンク
１１  蒸発器
１３  燃焼器
１５  コンプレッサ
１７，１９，３９  流量計
２１  コントロールユニット
２３，２５，４１  流量制御弁
２７  バッテリ
２９  モータ
３１  電力調整器
３３  制御装置
３５  アクセルペダル
３７  ポジションセンサ
【図１】
0003671752.tif 000002
【図２】
0003671752.tif 000003
【図３】
0003671752.tif 000004
【図４】
0003671752.tif 000005
【図５】
0003671752.tif 000006
【図６】
0003671752.tif 000007
【図７】
0003671752.tif 000008